(57)【要約】  本発明の主題は、特に当該器械から離れて終末技を行う時の体操選手のための着地装置であって、特に安定した終末技をもたらすための着地装置において、少なくとも１つの第１の衝撃吸収体（１０）及び１つの第２の衝撃吸収体（１２）であって、これらの２つの衝撃吸収体の少なくとも１つが膨張可能であり、これらの少なくとも２つの衝撃吸収体が互いに重ね合わされている、少なくとも１つの第１の衝撃吸収体（１０）及び１つの第２の衝撃吸収体（１２）と、これらの少なくとも２つの衝撃吸収体を該重ね合わせ位置において接続する手段（１４）と、を備えることを特徴とする、着地装置である。第２の衝撃吸収体が、膨張可能になっている。【選択図】図２
2019517378.tif 000002
【特許請求の範囲】
【請求項１】
特に当該器械から離れて終末技を行う体操選手のための着地装置であって、特に安定した終末技をもたらすための着地装置において、前記装置は、互いに重ね合わされた少なくとも１つの第１の衝撃吸収体（１０）及び１つの第２の衝撃吸収体（１２）と、これらの少なくとも２つの衝撃吸収体を前記重ね合わせ位置において接続する手段（１４）と、を備え、前記第２の衝撃吸収体（１２）は、上に配置されており、膨張可能になっていることを特徴とする、着地装置。
【請求項２】
前記衝撃吸収体（１０，１２）の厚みは、平坦面を形成するために均一になっていることを特徴とする、請求項１に記載の着地装置。
【請求項３】
前記衝撃吸収体の他の１つである前記第１の衝撃吸収体（１０）は、ブロック状の発泡体から構成されていることを特徴とする、請求項１又は２に記載の着地装置。
【請求項４】
発泡体から作製された前記第１の衝撃吸収体（１０）は、高さＨ１を有し、前記第２の膨張式衝撃吸収体（１２）は、高さＨ２を有し、Ｈ２は、Ｈ１よりも大きくなっていることを特徴とする、請求項１又は２に記載の着地装置。
【請求項５】
前記高さは、それぞれ、
Ｈ１：２ｃｍから１５ｃｍの間、
Ｈ２：５ｃｍから２０ｃｍの間、及び
Ｈ：２５ｃｍ未満
に設定されていることを特徴とする、請求項３に記載の着地装置。
【請求項６】
２つの衝撃吸収体の場合、前記接続手段（１４）は、対のパッチ（２８）を備え、一方が上に配置された前記衝撃吸収体（１２）の底面に結合され、他方が底に配置された前記衝撃吸収体（１０）の上面に結合されていることを特徴とする、先行する請求項１〜５のいずれか１項に記載の着地装置。
【請求項７】
前記少なくとも１つの膨張式衝撃吸収体（１２）は、コーナに重りを有することを特徴とする、先行する請求項１〜６のいずれか１項に記載の着地装置。
【請求項８】
前記少なくとも１つの膨張式衝撃吸収体（１２）は、コーナに衝撃吸収コーナ片（２４）を有することを特徴とする、先行する請求項１〜７のいずれか１項に記載の着地装置。
【請求項９】
前記少なくとも１つの膨張式衝撃吸収体（１２）は、衝撃吸収周辺フレーム（２６）を有することを特徴とする、請求項１〜５のいずれか１項に記載の着地装置。
【請求項１０】
前記第２の膨張式上側衝撃吸収体は、１２０ｍバールから２２０ｍバールの間の圧力に膨張されるようになっていることを特徴とする、先行する請求項１〜９のいずれか１項に記載の着地装置。
【請求項１１】
前記第１の衝撃吸収体に端を発する単一の外被が、前記第２の衝撃吸収体を全体的に又は部分的に固定するようになっていることを特徴とする、先行する請求項１〜１０のいずれか１項に記載の着地装置。
【発明の詳細な説明】
【技術分野】
【０００１】
本発明は、特に当該器械から離れて終末技を行う時の体操選手のための着地装置であって、特に安定した終末技をもたらすための着地装置に関する。
【背景技術】
【０００２】
現在、平行棒、段違い平行棒、又はあん馬のような器械を用いる体操選手の演技中に落下した選手の衝撃を和らげる衝撃吸収マットが使用されている。
【０００３】
器具から離れて終末技を行う時に安定した終末技を可能にすることを目的とする体操選手用の着地装置も提供されている。
【０００４】
マットの形態にあるこれらの着地装置の主な機能は、誤った運動の結果として落下した場合に衝撃を吸収し、これによって、高い位置に張られるパラシュートマットを用いることなく、競技者の安全を保全することである。なお、パラシュートマットは、落下した体操選手の安定性を確保するものではない。
【０００５】
実際、衝撃吸収のレベルは、満足な着地を可能にすると共に、演技の後に終末技を行う体操選手が着地した瞬間に安定性をもたらすように、十分に堅固でなければならない。
【０００６】
現状のこれらの衝撃吸収マットは、平行六面体の発泡体を包む外被を有している。
【０００７】
この種のマットは、数ｃｍの厚みの体操マットと違って、約２０ｃｍの大きな厚みを有し、その長さは、１ｍから数ｍの間にある。いかなる状況下にあっても、この高さは、これ以上大きくされるべきではない。
【０００８】
特許文献１は、例えば、５０ｃｍ以上の高さを有する落下阻止クッションを開示している。このような落下阻止クッションは、戸外で用いられ、下部の厚い拡張可能な外被を保護するために、（切裂及び他の突抜からの保護手段として）上部に配置された保護層を備えている。この外被は、膨張式ではなく、むしろ発泡パッドのような機械的に圧縮可能となる拡張可能な構成要素及び少なくとも１つの空気入口を備えている。
【０００９】
従って、外被の拘束が解除されると、拡張可能な構成要素は、それらの元の形状に戻り、大気圧下の空気が引き込まれ、拡張可能な構成要素間の空隙を満たすことになる。
【００１０】
このようなクッションは、体操競技における衝撃吸収機能及び安定化機能を有しておらず、単に安全機能を有するにすぎない。
【００１１】
外被は、機械的に強靭でなければならなく、通常、ある程度の剛性を有する被覆布から作製されている。これは、数多くの重圧が加えられた後であっても該マットの略平行六面体の形状の維持を確保するために必要である。
【００１２】
競技会が催される時又は器械体操に関連するスポーツイベント中に、通常マットを備えていない体育ホールは、該マットを装備しなければならない。
【００１３】
これらの多目的スポーツホールは、種々の規制に従って、イベントの装備を行わねばならない。
【００１４】
器械体操の場合、多数の規律があり、本発明による衝撃吸収性／安定化マットもこれらの規律に準じる必要がある。
【００１５】
実際、スポーツホールに装備される時、このようなマットは、まず第１に、保管区域に輸送されねばならない。マットは、その剛性によって輸送が困難であり、担当者は、特にマットが極めて長い場合、可能な限り、マットの巻取りが求められる。もしマットが短い場合、それでもなお、該マットは、ドアを通過するのに支障をきたすほど嵩張り、且つ運ぶのに支障をきたすほど重い。
【００１６】
マットが圧縮されないので、輸送体積は、該マットの体積と等しく、これによって、該マットの輸送に極めて大容量の車両を用いる必要がある。
【００１７】
いったん積み込まれたなら、該マットは、ホールに移送されて装備されるが、この時、該マットの搬送と逆の手順を踏まねばならない。
【００１８】
コストは、
−仕事の困難さに加えて、人件費、期間、及び数
−輸送体積
に比例するので、このような装備コストは、実際、高いものになる。
【００１９】
器械体操の分野では、気密外被を備えるマットが知られている。気密外被は、溶着縁と少なくとも１つの区画とを有し、各区画が、加圧空気によって膨張させるための少なくとも１つの弁を備えている。
【００２０】
競技に必要な原形を保存するために、上面と下面との間に内部離間手段が設けられている。これらの接続部によって、一定の厚みが全面にわたって維持されることが確実なものとなる。
【００２１】
従って、これらの外被によって、収縮状態においてわずかな体積しか占めないマットを製造することが可能になり、これによって、手動による搬送を容易にし、輸送車の大きさを制限することが可能になる。取扱いが容易であり、且つ重量が軽減することは、マットの設置に必要な担当者の数も減ることを意味する。
【００２２】
膨張による設置、すなわち、現場における加圧空気の吹込みによる設置は、極めて迅速に行われる。
【００２３】
この構造は、床体操用としても完全であるが、器械体操用の安全マットとしては、より面倒なことになる。もし床体操用の薄いマットに用いられるのと同じ圧力、例えば、約２２０ミリバールが加えられた場合、このマットは、落下に対して硬すぎることになる。その一方、もし圧力が約１２０ミリバールに下げられたなら、マットは、良好な衝撃吸収をもたらすが、衝突時に多量のエネルギーが放出され、体操選手は、大きく跳ね返り、安定した着地が困難になる。
【先行技術文献】
【特許文献】
【００２４】
【特許文献１】米国特許出願公開第２０１３／０８６７４４号明細書
【発明の概要】
【発明が解決しようとする課題】
【００２５】
本発明の目的は、体積及び重量の低減、困難な取扱い、十分な衝撃吸収、初期形状の保存、及び必要な衝撃吸収規格への適合に関して生じる課題を解消する設備を提案することにある。
【課題を解決するための手段】
【００２６】
１つの特性によれば、本発明による特に当該器械から離れて終末技を行う時の体操選手のための着地装置であって、特に安定した終末技をもたらすための着地装置は、少なくとも１つの第１の衝撃吸収体及び１つの第２の衝撃吸収体であって、これらの２つの衝撃吸収体の少なくとも１つが膨張可能であり、これらの少なくとも２つの衝撃吸収体が互いに重ね合わされている、少なくとも１つの第１の衝撃吸収体及び１つの第２の衝撃吸収体と、これらの少なくとも２つの衝撃吸収体を該重ね合わせ位置において接続する手段と、を備えることを特徴とする。
【００２７】
以下、本発明による衝撃吸収装置を特定の非制限的実施形態に関して、添付の図面を参照して例示的に説明する。
【図面の簡単な説明】
【００２８】
【図１】本発明による装置の斜視図である。
【図２】図１の装置の分解図である。
【図３】図１の装置の側面図である。
【図４】種々の要素を個別に示す装置の断面図である。
【発明を実施するための形態】
【００２９】
種々の図は、互いに重ね合わされた少なくとも１つの第１の衝撃吸収体１０及び第２の衝撃吸収体１２と、重ね合わせ位置においてこれらの少なくとも２つの衝撃吸収体を接続する手段１４と、を備える本発明による装置を示している。第１の衝撃吸収体は、第２の衝撃吸収体の下に置かれている。
【００３０】
この場合、図示される実施形態では、第１の衝撃吸収体１０は、高さＨ１を有し、第２の衝撃吸収体１２は、高さＨ２を有し、装置の全高さは、Ｈである。
【００３１】
鉄棒の安全マットに適用される場合、必要な規格内に収めるために、高さＨ１は、２ｃｍから１５ｃｍの間であり、高さＨ２は、５ｃｍから２０ｃｍの間であり、全高さＨは、２５ｃｍ未満でなければならない。
【００３２】
いかなる場合でも、これらの衝撃吸収体は、平面を形成するために、均一な厚みを有し、各衝撃吸収体を画定する両面は、互いに平行である。
【００３３】
図示される実施形態では、第１の衝撃吸収体１０は、平板状の発泡体１６であり、可能であれば、図４の断面図に示される周知の形式の外被１８によって被覆されている。この平板状の発泡体１６は、着地区域の寸法に適合する寸法を有する単一の平行六面体の形態にある。なお、これらの寸法は、完全に規定された値である
【００３４】
発泡体が弾力性を有するので、この第１の衝撃吸収体１０は、数え切れないほどの重圧を受けた後であっても、その平行六面体の形状を維持する。
【００３５】
また、図示される実施形態によれば、第２の衝撃吸収体１２は、少なくとも１つの膨張弁２２を備える膨張可能な外被２０を備えている。膨張圧力は、例えば、１２０ミリバールから２２０ミリバールの間である。
【００３６】
この膨張可能な外被２０は、内部空間内において、具体的には、上部分の下側と下部分の上側との間に介在する接続スペーサ２４を備えている。これらの接続スペーサ２４は、外側から見えず、図４の断面図に示されている。
【００３７】
従って、第２の衝撃吸収体１２は、その外部形状を常に平行六面体とし、この第２の衝撃吸収体の初期形状が維持されることになる。図示される好ましい実施形態では、Ｈ２は、Ｈ１よりも大きいことに留意されたい。
【００３８】
必要に応じて、角ばった形状を適切に維持するため及び完全な保持を確実にするために、コーナ部に位置する衝撃吸収コーナ片２４、又は図２のみに選択的に示される衝撃吸収周辺フレーム２６を設けることができる。これらのコーナ片及びフレームは、発泡体から作製することができる。
【００３９】
他の代替例として、コーナにおける重りの形態にある追加的な衝撃吸収物の配置が挙げられる。これは、例えば、前記膨張可能な外被と同一の特性を有する変形可能な重りであり、外被よりも厚く、該外被の上に部分的に接続されるようになっている。
【００４０】
これらの重りは、着地時ではなく跳返り時に、衝撃吸収性を高め、これによって、跳返りを予めこれらの重りによって部分的に吸収することができる。
【００４１】
これらの２つの衝撃吸収体１０，１２は、重なり合っているので、着地後にこれらの衝撃吸収体の相互運動が生じても一体品を維持するために、これらの衝撃吸収体を接続する手段１４が設けられている。
【００４２】
このような接続手段１４は、有利には、対の接続パッチ２８−１．２８−２であり、一方が上位置にある衝撃吸収体の底面に結合され、他方が底位置にある衝撃吸収体の上面に結合されている。これらのパッチ対は、対の一方のパッチにフックを備えると共に対の他のパッチにループを備える「Ｖｅｌｃｒｏ（登録商標）」システムを備えることができる。
【００４３】
代替的に、第２の衝撃吸収体を全体的に又は部分的に固定する第１の衝撃吸収体に端を発する単一の外被を設けることもできる。
【００４４】
このように、図示される実施形態において、上位置における膨張式の第２の衝撃吸収体１２を発泡体の第１の衝撃吸収体１０から分離することができる。
【００４５】
輸送及び設置中に、第１の衝撃吸収体１０は、一定の厚みＨ１を有するが、独立しているので、容易に巻取り可能であることに留意されたい。いずれにせよ、このようなマットは、仮に巻き取られなくても、取扱いが容易であり、その軽い重量がこのような取扱いを助長することになる。
【００４６】
最後に、高さに関して、この第２の衝撃吸収体の厚みは、制限された状態で維持されるので、巻取り及び移送が極めて容易であることに留意されたい。
【００４７】
膨張式の第２の衝撃吸収体１４は、収縮し、特に巻き取られた後、その取扱いが極めて容易になる。
【００４８】
また、組立体は、いったん収縮したなら、接続された第１の衝撃吸収体及び第２の衝撃吸収体が連携して小さい組合せ厚みを有し、その状態で維持されることになる。実際、膨張可能な外被は、内部が空であり、その公称厚みは、極めて小さい。
【００４９】
また、これは、明白な技術的利点をもたらす。
【００５０】
以下に確認するように、着地の心地良さ及び衝撃吸収品質は、必要な規格に適合するものである。
【００５１】
試験は、安定した着地をもたらす単純な器械終末技を行うマットに対して、１５０ｍｍの直径及び２０ｋｇの重量を有する衝撃体によって行われた。
【００５２】
衝撃体の落下高さは、この種のマットに対して標準の８００ｍｍである。
【００５３】
衝撃試験は、該マットの標準位置、すなわち、以下に規定される８箇所、すなわち、
−各コーナを画定する２つの縁から２５ｃｍの箇所、すなわち、４つのコーナの各々における４つの箇所、及び
−中心の垂直２等分線に沿ってマットの中心から２５ｃｍの箇所、すなわち、中心部の４つの箇所
において行われた。
【００５４】
以下のテーブルは、得られた値が衝撃吸収、垂直方向の変形、及びエネルギー放出に関して、規格、特にＮＦ規格ＥＮ１２５０３−１及びＥＮ１２５０３−４に適合していることを示している。
【００５５】
【表１】
2019517378.tif 000003
【００５６】
規格に適合していること及び得られた値が先行技術の落下阻止マットの値と極めて異なっていることは、明らかである。
【図１】
2019517378.tif 000004
【図２】
2019517378.tif 000005
【図３】
2019517378.tif 000006
【図４】
2019517378.tif 000007
【国際調査報告】
2019517378.tif 000008
2019517378.tif 000009
2019517378.tif 000010
2019517378.tif 000011